(57)【要約】【課題】外部表示装置と収納式ビューファインダの表示を自動的に切り替える機能が何らかの不具合で動作しっぱなしになってしまうことを防止することができる撮像装置を提供する。【解決手段】本体に備える外部表示装置１０１と、本体内部への収納状態および本体からの露出状態との切り換えが可能な収納式の電子ビューファインダ１０２と、電子ビューファインダ１０２と外部表示装置１０１の一方で表示を行うように切り換える表示切換部１０３と、電子ビューファインダ１０２が使用状態か不使用状態かを検知する検知スイッチ１０５とを備える。検知スイッチ１０５で電子ビューファインダ１０２が使用状態であると判定された場合、表示切換部１０３を動作状態とし、使用状態と判定されたことを示すタイマー値が所定時間を超えた場合、表示切換部１０３の動作を停止する。【選択図】図１
2020052271.tif 000002
【特許請求の範囲】
【請求項１】
撮像画像および撮影情報の少なくとも一方の表示を行う本体に備える外部表示装置と、本体内部への収納状態および本体からの露出状態との切り換えが可能な収納式の電子ビューファインダと、前記電子ビューファインダと前記外部表示装置のどちらか一方で表示を行うように切り換える表示切換を行う表示切換部と、前記電子ビューファインダが使用状態であるか不使用状態であるかを検知する検知スイッチとを備えた撮像装置において、
前記検知スイッチにより前記電子ビューファインダが使用状態であるか否かを判定する判定手段と、
前記判定手段が前記電子ビューファインダが使用状態であることを判定したとき、前記表示切換部を動作状態とし、前記使用状態と判定されたことを示す判定値が所定値を超えた場合、前記表示切換部の動作を停止する制御手段とを備えることを特徴とする撮像装置。
【請求項２】
前記制御手段は、前記表示切換部を停止する前に、前記外部表示装置に警告表示を行うことを特徴とする請求項１記載の撮像装置。
【請求項３】
前記制御手段は、前記表示切換部の動作を停止する際、前記電子ビューファインダで表示を行うか前記外部表示装置で表示を行うかを手動で切換えるためのボタンを前記外部表示装置に表示させることを特徴とする請求項１又は２記載の撮像装置。
【請求項４】
前記ボタンの押下により前記電子ビューファインダで表示を行う場合、前記外部表示装置は前記ボタン以外は暗転することを特徴とする請求項３記載の撮像装置。
【請求項５】
前記検知スイッチは、前記電子ビューファインダが使用状態であると検知したときの信号出力と、前記検知スイッチが動作不良状態であるときの信号出力が同じであることを特徴とする請求項第１乃至４のいずれか１項に記載の撮像装置。
【請求項６】
前記制御手段は、前記表示切換部の動作を停止した後、前記検知スイッチが前記電子ビューファインダが不使用状態となったと検知した場合、前記判定値をリセットすることを特徴とする請求項第１乃至５のいずれか１項に記載の撮像装置。
【請求項７】
前記判定値は、タイマー値、パルスカウント値、電流値の変化のいずれか一つであることを特徴とする請求項１乃至６のいずれか１項に記載の撮像装置。
【請求項８】
前記表示切換部は、ユーザが前記電子ビューファインダを覗いているか否かを検知する接眼検知装置であることを特徴とする請求項第１乃至７のいずれか１項に記載の撮像装置。
【請求項９】
前記制御手段は、前記検知スイッチが前記電子ビューファインダが不使用状態であると検知したときに前記表示切換部が動作していることを検出したとき、前記表示切換部の動作を停止することを特徴とする請求項１乃至８のいずれか１項に記載の撮像装置。
【請求項１０】
前記制御手段は、前記検知スイッチが前記電子ビューファインダが不使用状態であると検知したときに前記表示切換部が動作していることを検出した場合、前記電子ビューファインダで表示を行うか前記外部表示装置で表示を行うかを手動で切換えるためのボタンを前記外部表示装置に表示させることを特徴とする請求項１乃至９のいずれか１項に記載の撮像装置。
【請求項１１】
前記制御手段は、前記検知スイッチが前記電子ビューファインダが使用状態であると検知したときに前記表示切換部が動作してないことを検出した場合、警告を行うことを特徴とする請求項１乃至１０のいずれか１項に記載の撮像装置。
【請求項１２】
前記制御手段は、前記検知スイッチが前記電子ビューファインダが使用状態であると検知したときに前記表示切換部が動作していないことを検出した場合、前記電子ビューファインダで表示を行うか前記外部表示装置で表示を行うかを手動で切換えるためのボタンを前記外部表示装置に表示させることを特徴とする請求項１乃至１１のいずれか１項に記載の撮像装置。
【発明の詳細な説明】
【技術分野】
【０００１】
本発明は、収納式の電子ビューファインダを備えた撮像装置に関する。
【背景技術】
【０００２】
撮影時に被写体像を観察するものとして大型の外部表示装置を備えた撮像装置が広く提案されている。外部表示装置は表示部が大きいため表示画像の確認するには非常に優れた装置であるが、外部に露出した状態で取り付けられていることから野外などで外光が強い時には表示画像が見難くなるという問題があった。それに対して覗き窓式のビューファインダを備えるものもある。一眼レフカメラでは古くから光学式のビューファインダを備えている。これは撮影レンズからの被写体像をそのままビューファインダに導いて観察するもので、基本的に撮像装置に固定されている形態をとる。それに対して電子式のビューファインダを備えるものもある。これは撮像素子で受光した撮影レンズからの画像を電気的に処理して表示するものである。光学式のビューファインダはビューファインダに被写体像を導く光路を必要とするのに対し、電子式ビューファインダは電気的処理された画像を表示装置に表示するためビューファインダの配置自由度が高い。そのため、光学式ビューファインダでは困難であった収納式のビューファインダが比較的容易に実現することができる。
【０００３】
外部表示装置と収納式ビューファインダを備えた撮像装置は使い勝手が大変よく、優れた操作性を示す。外部表示装置と収納式ビューファインダはどちらか一方が表示されていれば十分であるためどちらに表示を行うかを自動的に切換える装置が付けられていることが多い。
【先行技術文献】
【特許文献】
【０００４】
【特許文献１】特開平３−４６１６号公報
【発明の概要】
【発明が解決しようとする課題】
【０００５】
しかしながら、自動的に表示を切換える機能が何らかの不具合で動作しっぱなしになってしまうと必要としない時に表示が切換えられてしまい、表示が見れなかったり不必要に表示されてしまってバッテリを無駄に消費してしまうことになる。
【０００６】
本発明は、外部表示装置と収納式ビューファインダの表示を自動的に表示を切換える機能が何らかの不具合で動作しっぱなしになってしまうことを防止することができる撮像装置を提供することにある。
【課題を解決するための手段】
【０００７】
本発明の請求項１に係る撮像装置は、撮像画像および撮影情報の少なくとも一方の表示を行う本体に備える外部表示装置と、本体内部への収納状態および本体からの露出状態との切り換えが可能な収納式の電子ビューファインダと、前記電子ビューファインダと前記外部表示装置のどちらか一方で表示を行うように切り換える表示切換を行う表示切換部と、前記電子ビューファインダが使用状態であるか不使用状態であるかを検知する検知スイッチとを備えた撮像装置において、前記検知スイッチにより前記電子ビューファインダが使用状態であるか否かを判定する判定手段と、前記判定手段が前記電子ビューファインダが使用状態であることを判定すると、前記表示切換部を動作状態とし、前記使用状態と判定されたことを示す判定値が所定値を超えた場合、前記表示切換部の動作を停止する制御手段とを備えることを特徴とする。
【発明の効果】
【０００８】
本発明によれば、外部表示装置と収納式ビューファインダの表示を自動的に表示を切換える機能が何らかの不具合で動作しっぱなしになってしまうことを防止することができる。
【図面の簡単な説明】
【０００９】
【図１】本発明の実施例１に係る撮像装置を示す図である。
【図２】図１の電子ビューファインダの動作を示す図である。
【図３】図２のアイピースの動作を一部外装部分を取り除いた状態で表す図である。
【図４】本発明の実施例１の検知スイッチの動作判定処理の手順を示すフローチャートである。
【図５】本発明の実施例２に係る撮像装置を示す図である。
【図６】本発明の実施例２の検知スイッチの動作判定処理の手順を示すフローチャートである。
【図７】図６のステップＳ２０１の手動切換ボタン表示処理のサブルーチンのフローチャートである。
【図８】本発明の実施例３の検知スイッチの動作判定処理の手順を示すフローチャートである。
【発明を実施するための形態】
【００１０】
以下、本発明の実施の形態について図面を参照して説明する。
【実施例１】
【００１１】
図１は本発明の実施例１に係る撮像装置１００を示す図である。
【００１２】
本図において、撮像装置１００は、外部表示装置１０１、電子ビューファインダ１０２、表示切換部１０３、及びファインダポップアップレバー１０４を備える。
【００１３】
外部表示装置１０１は、撮像装置１００に備えた撮像画像や撮影情報の表示を行い、電子ビューファインダ１０２は、覗き窓式の電子ビューファインダである。また、表示切換部１０３は、外部表示装置１０１と電子ビューファインダ１０２への表示を切換え、ファインダポップアップレバー１０４はユーザにより押し下げられた場合に電子ビューファインダ１０２をポップアップさせる。
【００１４】
撮像装置１００に取り付けられている電子ビューファインダ１０２は可動式となっており、使用しない時には図１（ａ）に示すように撮像装置１００の本体内部に収納されていて、使用する時は図１（ｂ）に示すように撮像装置１００の本体から引き出す。これにより、アイピース１０２ａを覗き込んで表示を確認することができるようになる。電子ビューファインダ１０２のポップアップ動作は図２に示す通りで、図２（ａ）の収納状態からファインダポップアップレバー１０４を押し下げると図２（ｂ）の露出状態までポップアップされてくる。アイピース１０２ａを後方（図２（ｂ）の矢印方向）に引き出して図２（ｃ）の状態とすることで電子ビューファインダ１０２が使用することができる状態となる。
【００１５】
図３にはアイピース１０２ａの動作を一部外装部分を取り除いた状態で表している。図２（ａ）の撮像装置１００内に電子ビューファインダ１０２が引き込まれた状態と図２（ｂ）の電子ビューファインダ１０２がポップアップされた状態では図３（ａ）に示すようにアイピース１０２ａは引き込まれた状態になっている。この状態はアイピース１０２ａが検知スイッチ１０５のアクチュエータ１０５ａを押した状態、すなわち検知スイッチ１０５がＯＮされた状態となる。図２（ｃ）の電子ビューファインダ１０２が引き出されて使用できる状態にすると、図３（ｃ）に示すようにアイピース１０２ａが検知スイッチ１０５のアクチュエータ１０５ａから離れて押し込みを解除した状態となる。すなわち検知スイッチ１０５がＯＦＦされた状態となる。
【００１６】
本実施例においては図２（ｃ）のようにアイピース１０２ａを引き出して電子ビューファインダ１０２が使用状態となるように構成しているが、かかる構成でなくてもよい。例えば、図１（ｂ）に示すように、電子ビューファインダ１０２をポップアップさせただけで表示画像を観察することができるように構成する場合もある。そのような場合は検知スイッチ１０５として図１（ｂ）の状態を検知するように構成することで、本実施例と同等の機能を実現することができる。
【００１７】
次に表示切換部１０３について説明する。表示切換部１０３は表示画面として外部表示装置１０１を用いるか電子ビューファインダ１０２を用いるかを自動的に切換える装置である。一例としては、表示切換部１０３の所定距離内に物体（ユーザの顔）が近づいたかどうかを検知するもの（接眼検知装置）が挙げられる。本実施例では表示切換部１０３として赤外光を投受光する素子が内蔵されたもので、投光した赤外光の反射強度から物体までの距離を判定するものである。
【００１８】
表示切換部１０３は常に動作状態（投光素子から赤外線を投光し、受光素子で反射光を受け取る状態）ではなく、図１（ｂ）に示すように電子ビューファインダ１０２を使用する状態の時にだけ動作するようになっていればよい。そのため、検知スイッチ１０５と連動させて、図１（ｂ）、図２（ｃ）および図３（ｂ）のような電子ビューファインダ１０２を使用する状態、すなわち検知スイッチ１０５がＯＦＦの時にのみ動作するようにする。
【００１９】
ここで、アイピース１０２ａに衝撃などが加わって検知スイッチ１０５のアクチュエータ１０５ａが破損して取れた状態になった場合を考える。この場合、アイピース１０２ａが図３（ａ）の状態でも図３（ｂ）の状態でもアクチュエータ１０５ａが押されなくなってしまうため検知スイッチ１０５は常にＯＦＦの状態となる。また、検知スイッチ１０５が完全に外れてしまってなくなっているような場合でも同様に検知スイッチ１０５は常にＯＦＦとなっている。すなわち、検知スイッチ１０５は、電子ビューファインダ１０２が使用状態であると検知したときの信号出力と、検知スイッチ１０５が動作不良状態であるときの信号出力が同じである。そうすると、撮像装置１００はアイピース１０２ａが引き出された状態、すなわち電子ビューファインダ１０２を使用する状態であるとして常に表示切換部１０３を動作状態にしてしまう。図１（ａ）のような電子ビューファインダ１０２が収納された状態でも表示切換部１０３が動作してしまっているため、表示切換部１０３に物体が近づくと外部表示装置１０１の表示が消えて電子ビューファインダ１０２に表示がされることになる。外部表示装置１０１が消えていることから撮像装置１００の電源がＯＦＦだと勘違いしてしまったり、外部表示装置１０１で画像を確認したいのに表示が消えて、不要な電子ビューファインダ１０２に表示されてしまったりと動作上問題をきたすことになる。
【００２０】
このような問題を避けるために、本実施例では、図４のフローチャートに示すような検知スイッチ１０５の動作判定処理が行われる。本動作判定処理は撮像装置１００内に備えた中央演算処理装置（不図示：制御手段）により行われる。
【００２１】
ステップＳ１０１において、検知スイッチ１０５の接点状態を中央演算処理装置によって判定する。検知スイッチ１０５がＯＮ（電子ビューファインダ１０２は不使用状態）であればステップＳ１１０へ進み、検知スイッチ１０５がＯＦＦ（電子ビューファインダ１０２は使用状態）であればステップＳ１０２へ進む。
【００２２】
ステップＳ１０２において、検知スイッチ１０５がＯＦＦとなっている時間を計測するタイマーが動作しているかどうか判定を行う。動作していなければステップＳ１０３へ進み、動作していればステップＳ１０４へと進む。
【００２３】
ステップＳ１０３において、検知スイッチ１０５がどのくらいの時間ＯＦＦとなっているか計測するためのタイマーを作動させる。
【００２４】
ステップＳ１０４において、検知スイッチ１０５がＯＦＦとなっている時間が所定時間（所定値）を超えているかどうか中央演算処理装置によって判定する。時間は適宜任意に設定すればよいが、ここでは例えば、判定時間を２４時間と設定する。２４時間を超えて検知スイッチ１０５がＯＦＦとなっているとステップＳ１０８へ進んで表示切換部１０３の動作を停止させ、ステップＳ１０９へと進み、外部表示装置１０１を点灯して電子ビューファインダ１０２の表示を消灯する。２４時間以下であればステップＳ１０５へと進む。
【００２５】
ここでは、電子ビューファインダ１０２は使わない時には収納するため、検知スイッチ１０５がＯＦＦとなっている状態（ファインダ１０２が引き出された状態）が長時間続くことは考えにくい。よって、前述のように検知スイッチ１０５に何か問題が起こったものと判断するものである。
【００２６】
ステップＳ１０５において、電子ビューファインダ１０２を使用する状態であるため、表示切換部１０３を動作状態として外部表示装置１０１との自動切換えができるようにする。
【００２７】
ステップＳ１０６において、表示切換部１０３にユーザの顔が近づいたかどうか判定する。所定距離以内に近づいた時には電子ビューファインダ１０２を使用すると判断してステップＳ１０７へ進んで外部表示装置１０１の表示を消灯して電子ビューファインダ１０２の表示を点灯する。所定距離以上の時はステップＳ１０９へ進んで外部表示装置１０１を点灯して電子ビューファインダ１０２の表示を消灯する。
【００２８】
ステップＳ１０１で検知スイッチ１０５がＯＮとなっている状態（ファインダ１０２が収納された状態）の時にはステップＳ１１０へ進んでステップＳ１０８と同様に表示切換部１０３の動作を停止してステップＳ１１１へ進む。尚、ステップＳ１０８，Ｓ１１０で表示切換部１０３の動作を停止する前に警告表示を外部表示装置１０１に行うようにしてもよい。
【００２９】
ステップＳ１１１で検知スイッチ１０５がＯＦＦとなっている時間を計測するタイマーが動作しているかどうか判定をステップＳ１０２と同様に行う。タイマーが動作していなければステップＳ１０９へ進んで外部表示装置１０１を点灯して電子ビューファインダ１０２の表示を消灯する。タイマーが動作している場合はステップＳ２０１へ進む。
【００３０】
ステップＳ２０１において、タイマーを停止してステップＳ２０２へ進んでタイマー（判定値）のリセットをかけてステップＳ１０９へ進み、外部表示装置１０１を点灯して電子ビューファインダ１０２の表示を消灯する。
【００３１】
ここでタイマー動作を確認しているのは一度前述の検知スイッチ１０５がＯＦＦの場合のシーケンスを通るとタイマーが動作し続けるため、検知スイッチ１０５がＯＮとなったことを判定するとタイマーの動作を停止するためである。同時にリセット動作も行うことで再び検知スイッチ１０５がＯＦＦとなったことを判定すると再び０から計時を行うことができる。
【００３２】
また、仮に検知スイッチ１０５の動作に問題がなくてもアイピース１０２ａを２４時間以上引き出したままにしているとステップＳ１０４からステップＳ１０８へ分岐して表示切換部１０３は強制的に非動作状態になる。しかし、検知スイッチ１０５は壊れている訳ではないのでアイピース１０２ａを収納するとＯＮとなることができる。ステップＳ２０２のリセット動作があることで、検知スイッチ１０５がＯＮになったことを検出すると通常動作が可能であると判断して再びステップＳ１０４からステップＳ１０５へも分岐することができるようになる。これにより、自動的に通常動作に復帰させることができる。
【００３３】
本実施例においては、検知スイッチ１０５の動作不具合は、検知スイッチ１０５がＯＦＦとなっている時間をタイマーで計測すること（タイマー値）で判定しているが、かかる判定方法に限定されない。例えば、撮像装置１００内に備えた中央演算処理装置から検知スイッチ１０５に一定間隔でパルス信号を送信して、反応のあったパルス数（パルスカウント値）をカウントしてもよい。また、電流値の変化を検出するなどして検知スイッチ１０５の動作不具合を判定するようにしてもよい。
【００３４】
また、本実施例では、検知スイッチ１０５がＯＮの状態の時に、電子ビューファインダ１０２が不使用状態であるとし、検知スイッチがＯＦＦの状態の時に、電子ビューファインダ１０２が使用状態であるとした。しかしながら、電子ビューファインダ１０２が使用状態か不使用状態かを検知スイッチ１０５が検知できればかかる構成に限定されない。例えば、検知スイッチ１０５がＯＦＦの状態の時に、電子ビューファインダ１０２が不使用状態であるとし、検知スイッチがＯＮの状態の時に、電子ビューファインダ１０２が使用状態であるように構成してもよい。
【実施例２】
【００３５】
図５は本発明の実施例２に係る撮像装置を示す図である。以下、実施例１と同一符号の物は同一の作用を果たす。なお、本実施例において外部表示装置１０１には、表示画面上を触ることで撮像装置の操作を可能にするタッチパネル機能を有するものとして、図６に示すフローチャートを基に検知スイッチ１０５の動作判定処理の動作の説明を行う。
【００３６】
ステップＳ１０１からステップＳ１０４までの動作は前述の実施例１と同じである。また、検知スイッチ１０５がＯＦＦとなっている時間を計測するタイマーが所定時間以下の時のシーケンスも実施例１と同じである。
【００３７】
ステップＳ１０４において、タイマーが所定時間以上であった時にステップＳ１０８へ進んで表示切換部１０３の動作を停止してステップＳ２の手動切換ボタン表示処理へ進む。
【００３８】
ステップＳ２の手動切換ボタン表示処理は図７に示すようなサブルーチンである。
【００３９】
ステップＳ３０１において、図５に示すような表示切換えボタン１０１ａを外部表示装置１０１に表示する設定を行う。
【００４０】
ステップＳ３０２ａにおいて、カウンタ値ＣＮＴが０か否かを判断する。このカウンタ値ＣＮＴは電子ビューファインダ１０２が表示されているかどうかを判定するための因子で、０なら非表示、１なら表示というものである。
【００４１】
カウンタ値ＣＮＴが０の時はステップＳ３０３へ進み、０でない場合はステップＳ３０７へ進む。
【００４２】
ステップＳ３０３において、外部表示装置１０１を点灯して電子ビューファインダ１０２の表示を消灯する。動作としてはステップＳ１０９と同じであるが、表示内容はステップＳ３０１で設定を行った表示切換えボタン１０１ａが同時に表示されているところが異なる。
【００４３】
ステップＳ３０４において、表示切換えボタン１０１ａが押されたかどうか判断を行う。表示切換えボタン１０１ａが押されたらステップＳ３０２ｂへ進み、押されていなければステップＳ３０８へ進んで外部表示装置１０１の表示を続けて電子ビューファインダ１０２の表示は行わない。
【００４４】
ステップＳ３０２ｂにおいて、ステップＳ３０２ａと同様にカウンタ値ＣＮＴが０か否かの判定を行う。０であればステップＳ３０５へ進み、０でない場合はステップＳ３０８へ進む。
【００４５】
ステップＳ３０５において、表示切換えボタン１０１ａが押下されたので電子ビューファインダ１０２の表示を行う。その際、表示切換えボタン１０１ａが消えてしまうと再び電子ビューファインダ１０２の表示状態から外部表示装置１０１への表示に切換えることができなくなってしまうため、外部表示装置１０１の表示は消灯しない。しかし、アイピース１０２ａを覗いている時に外部表示装置１０１が点灯していると眩しくて操作しづらいため、表示切換えボタン１０１ａのみを表示し、このボタン以外は暗転するようにしておくとよい。
【００４６】
ステップＳ３０６において、カウンタ値ＣＮＴを１にしてサブルーチンをリターンする。
【００４７】
ステップＳ３０２ａから分岐したステップＳ３０７では、電子ビューファインダ１０２が表示されているためそのまま表示し続けるというルーチンとなる。
【００４８】
カウンタ値ＣＮＴについて簡単に説明する。電子ビューファインダ１０２が表示されている時はカウンタ値ＣＮＴが１となり、この状態で表示切換えボタン１０１ａが押されると電子ビューファインダ１０２が消灯する。一方、電子ビューファインダ１０２が表示されていない時はカウンタ値ＣＮＴが０となり、この状態で表示切換えボタン１０１ａが押されると電子ビューファインダ１０２が点灯する。すなわち、カウンタ値ＣＮＴは電子ビューファインダ１０２が消灯・点灯動作を行うための判定材料として用いられる。
【００４９】
図６のフローチャートに戻ると、ステップＳ１０１で検知スイッチ１０５がＯＮの状態の時にはステップＳ１１０へ進んで表示切換部１０３の動作を停止させ、ステップＳ１１１へと進んでタイマーが動作しているかどうか判断を行う。
【００５０】
タイマーが動作していない時はステップＳ１０９へ進み、タイマーが動作している時はステップＳ２０１でタイマーを停止して、ステップＳ２０２でタイマーをリセットした後、ステップＳ２０３へ進む。
【００５１】
ステップＳ２０３において、外部表示装置１０１に表示していた表示切換えボタン１０１ａを非表示に設定してステップＳ１０９へ進む。
【００５２】
前述の実施例１にもある通り、仮に検知スイッチ１０５の動作に問題がない場合でもアイピース１０２ａを引き出したまま所定時間（実施例１の設定で言えば２４時間）放置していると検知スイッチ１０５が故障したとみなされる。この結果、表示切換えボタン１０１ａが表示され、表示切換部１０３は強制的に非動作状態になる。しかし、アイピース１０２ａを収納すると検知スイッチ１０５がＯＮになるため、通常動作が可能であると判断して表示切換えボタン１０１ａは不要になり非表示とする。これにより、故障時の表示モードから通常の表示モードに自動的に復帰させることができる。
【実施例３】
【００５３】
図８は本発明の実施例３に係る撮像装置１００における検知スイッチ１０５の動作判定処理を実現するためのフローチャートである。以下、実施例１と同一符号の物は同一の作用を果たす。
【００５４】
ステップＳ１０１において、検知スイッチ１０５がＯＮであればステップＳ１０８へ進んで表示切換部１０３の動作を停止させ、検知スイッチ１０５がＯＦＦであればステップＳ１０５へ進んで表示切換部１０３の動作させ、ステップＳ４０１に進む。
【００５５】
ステップＳ４０１において、動作させた表示切換部１０３が正常に動作しているかどうか判断する。本実施例では表示切換部１０３の動作電流が所定値以上流れているかどうかを検出し、所定値以上流れていれば正常動作、所定値以上流れていない場合は異常動作と判断するものとする。動作判定のこの方法は一例であって他の方法で判定してもよい。
【００５６】
正常動作していると判断するとステップＳ１０６へ進んで通常の検知動作を行う。動作が異常動作と判断された場合はステップＳ１０８へ進んで表示切換部１０３の動作を停止させる。
【００５７】
ステップＳ１０６において、表示切換部１０３にユーザの顔が近づいたか（接眼したか）どうか判定し、所定距離以内に近づいた時にはステップＳ１０７へ進んで外部表示装置１０１の表示を消灯して電子ビューファインダ１０２の表示を点灯する。所定距離以上の時はステップＳ１０９へ進んで外部表示装置１０１を点灯して電子ビューファインダ１０２の表示を消灯する。
【００５８】
以上の動作は、検知スイッチ１０５がＯＦＦの状態の時の表示切換部１０３の動作状態を確認しているが、逆に検知スイッチ１０５がＯＮの状態である時に表示切換部１０３の動作状態を確認するものも考えられる。検知スイッチ１０５がＯＮの状態の時に表示切換部１０３が正常動作している（前述のように動作電流を検知して所定値以上流れている）ことを検出すると、表示切換部１０３を強制的に停止させて勝手に切換わらないようにする。
【００５９】
これらの動作によって、表示切換部１０３の動作が異常動作と判断された場合でも検知スイッチ１０５の状態と合わせて判断することで、強制的に表示切換部１０３を停止させる。
【符号の説明】
【００６０】
１００  撮像装置
１０１  外部表示装置
１０１ａ  表示切換えボタン
１０２  電子ビューファインダ
１０２ａ  アイピース
１０３  表示切換部
１０４  ファインダポップアップレバー
１０５  検知スイッチ
１０５ａ  アクチュエータ
【図１】
2020052271.tif 000003
【図２】
2020052271.tif 000004
【図３】
2020052271.tif 000005
【図４】
2020052271.tif 000006
【図５】
2020052271.tif 000007
【図６】
2020052271.tif 000008
【図７】
2020052271.tif 000009
【図８】
2020052271.tif 000010